(57)【特許請求の範囲】
【請求項１】
双方向ＣＡＴＶシステムのセンタ装置から端末側に至る信号伝送用の伝送線上に設けられ、センタ装置から端末側に流れる所定周波数帯の下り信号と、端末側からセンタ装置側に流れる前記下り信号よりも低い周波数帯の上りＬ信号と、端末側からセンタ装置側に流れる前記下り信号よりも高い周波数帯の上りＨ信号とを夫々増幅する双方向ＣＡＴＶシステムの中継増幅器であって、
センタ装置側から伝送されてきた下り信号を増幅して端末側に出力する下り信号増幅回路と、
センタ装置側伝送線から前記下り信号増幅回路に至る下り信号入力経路、及び、前記下り信号増幅回路から端末側伝送線に至る下り信号出力経路に、夫々設けられ、前記下り信号の周波数帯の信号成分のみを選択的に通過させる第１フィルタ回路と、
端末側より伝送されてきた上りＬ信号と上りＨ信号とを混合した上り信号を増幅してセンタ装置側に出力する、前記各上り信号共通の上り信号増幅回路と、
を備えると共に、
前記端末側伝送線から前記上り信号増幅回路に至る上り信号入力経路、及び、前記上り信号増幅回路からセンタ装置側伝送線に至る上り信号出力経路を、夫々２系統にし、
一方の上り信号入力経路及び上り信号出力経路には、夫々、前記上りＨ信号の周波数帯の信号成分を選択的に通過させる第２フィルタ回路を設け、
他方の上り信号入力経路及び上り信号出力経路には、夫々、前記上りＬ信号の周波数帯の信号成分を選択的に通過させる第３フィルタ回路を設け、
前記２系統の上り信号入力経路には、夫々、当該中継増幅器による上りＨ信号及び上りＬ信号の増幅特性が、周波数が高いほど利得が大きいチルト特性となるよう上りＨ信号及び上りＬ信号をレベル調整するイコライザを設け、
更に、前記第２フィルタ回路が設けられる上り信号入力経路には、前記イコライザと直列になるよう、前記上りＨ信号を増幅する補助増幅回路を設けたことを特徴とする双方向ＣＡＴＶシステムの中継増幅器。
【請求項２】
双方向ＣＡＴＶシステムのセンタ装置から端末側に至る信号伝送用の伝送線上に設けられ、センタ装置から端末側に流れる所定周波数帯の下り信号と、端末側からセンタ装置側に流れる前記下り信号よりも低い周波数帯の上りＬ信号と、端末側からセンタ装置側に流れる前記下り信号よりも高い周波数帯の上りＨ信号とを夫々増幅する双方向ＣＡＴＶシステムの中継増幅器であって、
センタ装置側から伝送されてきた下り信号を増幅して端末側に出力する下り信号増幅回路と、
センタ装置側伝送線から前記下り信号増幅回路に至る下り信号入力経路、及び、前記下り信号増幅回路から端末側伝送線に至る下り信号出力経路に、夫々設けられ、前記下り信号の周波数帯の信号成分のみを選択的に通過させる第１フィルタ回路と、
端末側より伝送されてきた上りＬ信号と上りＨ信号とを混合した上り信号を増幅してセンタ装置側に出力する、前記各上り信号共通の上り信号増幅回路と、
を備えると共に、
前記端末側伝送線から前記上り信号増幅回路に至る上り信号入力経路、及び、前記上り信号増幅回路からセンタ装置側伝送線に至る上り信号出力経路を、夫々２系統にし、
一方の上り信号入力経路及び上り信号出力経路には、夫々、前記上りＨ信号の周波数帯の信号成分を選択的に通過させる第２フィルタ回路を設け、
他方の上り信号入力経路及び上り信号出力経路には、夫々、前記上りＬ信号の周波数帯の信号成分を選択的に通過させる第３フィルタ回路を設け、
前記２系統の上り信号出力経路には、夫々、上りＨ信号及び上りＬ信号を、伝送線での各上り信号の減衰特性に合わせて減衰させる出力レベル調整部を設け、
更に、前記第２フィルタ回路が設けられる上り信号出力経路には、前記出力レベル調整部と直列になるよう、前記上りＨ信号を増幅する補助増幅回路を設けたことを特徴とする双方向ＣＡＴＶシステムの中継増幅器。
【発明の詳細な説明】
【０００１】
【発明の属する技術分野】
本発明は、センタ装置から端末側に至る信号伝送用の伝送線上に設けられて、この伝送線を双方向に流れる信号を各々増幅する双方向ＣＡＴＶシステムの中継増幅器に関する。
【０００２】
【従来の技術】
従来より、双方向ＣＡＴＶシステムにおいて、センタ装置に接続された幹線や幹線から分岐した分岐線に設けられて、これらの伝送線を双方向に流れる信号を各々増幅する中継増幅器（具体的には、幹線増幅器，幹線分岐増幅器，幹線から分岐した分岐線に設けられる中継増幅器や分岐増幅器等）には、センタ装置から端末側に伝送される下り信号を増幅する下り信号増幅回路と、端末側からセンタ装置側に伝送される上り信号を増幅する上り信号増幅回路とが内蔵されている。
【０００３】
また最近では、端末側からセンタ装置側に伝送可能な情報量を多くするために、上り信号の伝送周波数帯として、下り信号の周波数帯（例えば、７０ＭＨｚ〜５５０ＭＨｚ帯）よりも低い従来の周波数帯（例えば、１０ＭＨｚ〜５５ＭＨｚ帯）だけでなく、下り信号の周波数帯よりも高い周波数帯（例えば、６５０ＭＨｚ〜７７０ＭＨｚ帯）をも設定し、これら各伝送周波数帯を使って、より多くの上り信号を伝送できるようにした双方向ＣＡＴＶシステムも提案されている。
【０００４】
そして、この種のシステムにおいて使用される中継増幅器では、各周波数帯の上り信号を増幅する必要があるため、例えば、特開平３−４２９１９号公報に記載のように、端末側伝送線に接続される中継増幅器の出力端子側にて、端末側から伝送されてきた上り信号を、低周波数帯の上り信号（以下、上りＬ信号という）と、高周波数帯の上り信号（以下、上りＨ信号という）とに分波し、その分波後の各上り信号（上りＬ信号及び上りＨ信号）を夫々専用の増幅回路にて増幅し、更に、センタ装置側伝送線に接続される中継増幅器の入力端子側にて、増幅後の各上り信号を混合して、センタ装置側伝送線に出力するようにしている。
【０００５】
【発明が解決しようとする課題】
しかし、このように構成された中継増幅器では、上りＬ信号と上りＨ信号とを夫々専用の増幅回路にて増幅することから、下り信号増幅用の増幅回路を含めると、中継増幅器には３種類の増幅回路を設けなければならず、中継増幅器のコストアップを招くという問題があった。
【０００６】
また、これら３種類の増幅回路は、夫々、対応する信号を所定レベルまで増幅する必要があるため、中継増幅器全体の消費電力が増加し、特に、何台もの中継増幅器を使用する大規模ＣＡＴＶシステムでは、省エネ化の妨げになるという問題もある。
【０００７】
また、中継増幅器の消費電力が大きくなるということは、発熱量も大きくなることから、ヒートシンクや放熱ファン等、中継増幅器に収納する発熱対策用の部品も大きくなり、中継増幅器の大型化を招くという問題もある。
本発明は、こうした問題に鑑みなされたものであり、双方向ＣＡＴＶシステムの伝送線を流れる下り信号，上りＬ信号及び上りＨ信号を夫々増幅する中継増幅器において、これら各信号を増幅する増幅回路の構成を簡単にし、中継増幅器の小型化及び省エネ化を図ることを目的とする。
【０００８】
【課題を解決するための手段及び発明の効果】
かかる目的を達成するためになされた本発明（請求項１、２に記載）の双方向ＣＡＴＶシステムの中継増幅器においては、センタ装置側より伝送線を介して入力される下り信号が、第１フィルタ回路が設けられた下り信号入力経路を介して、下り信号増幅回路に入力される。すると、下り信号増幅回路は、その入力された下り信号を増幅し、端末側に出力する。また、この下り信号増幅回路から出力された、増幅後の下り信号は、第１フィルタ回路が設けられた下り信号出力経路を介して、端末側伝送線上に出力される。
【０００９】
また、中継増幅器が設けられる伝送線には、端末側からセンタ装置側への上り信号として、下り信号よりも低い周波数帯の上りＬ信号と、下り信号よりも高い周波数帯の上りＨ信号との２種類の上り信号が流れるが、本発明の中継増幅器では、このように端末側より伝送されてくる２種類の上り信号（上りＬ信号，上りＨ信号）の内、周波数が高い上りＨ信号は、第２フィルタ回路が設けられた上り信号入力経路を介して上り信号増幅回路に入力され、周波数が低い上りＬ信号は、第３フィルタ回路が設けられた上り信号入力経路を介して上り信号増幅回路に入力される。この結果、上り信号増幅回路には、これら各上り信号が混合して入力され、上り信号増幅回路は、各上り信号を同時に増幅する。
【００１０】
そして、この上り信号増幅回路による増幅後の上り信号の内、上りＨ信号は、第２フィルタ回路が設けられた上り信号出力経路を介して、センタ装置側伝送線上に出力され、上りＬ信号は、第３フィルタ回路が設けられた上り信号出力経路を介して、センタ装置側伝送線路上に出力される。
【００１１】
このように、本発明の中継増幅器においては、上りＨ信号及び上りＬ信号を夫々増幅するために、専用の増幅回路を設けるのではなく、これら各信号を混合した上り信号を増幅する、各上り信号共通の上り信号増幅回路を設け、この上り信号増幅回路にて、上りＨ信号及び上りＬ信号を同時に増幅するようにしている。
【００１３】
ところで、双方向ＣＡＴＶシステムの中継増幅器は、下り・上りの各信号が伝送線（幹線や分岐線）を通過する際に生じる減衰量を補うために、その伝送線の途中で各信号をその減衰量に見合った分だけ増幅するものであることから、上記各増幅回路の増幅特性は、各信号の伝送線上での減衰特性に対応して、周波数が高いほど利得が大きくなるように、周波数に対して傾斜した所謂チルト特性に設定する必要がある。
【００１４】
そして、本発明の中継増幅器では、周波数が高い上りＨ信号と周波数が低い上りＬ信号とを共通の上り信号増幅回路にて増幅するが、これら両上り信号を一つの増幅回路だけで増幅するには、その増幅特性を極めて広い周波数範囲（例えば、既述したように上りＨ信号が６５０ＭＨｚ〜７７０ＭＨｚで、下りＬ信号が１０ＭＨｚ〜５５ＭＨｚである場合には、１０ＭＨｚ〜７７０ＭＨｚの周波数範囲内）で、適正なチルト特性にしなければならない。しかし、現実問題として、こうした広い周波数範囲で、増幅回路の増幅特性を周波数に対して一定の傾きで変化するチルト特性にすることは難しく、特に、上りＨ信号側の高い周波数領域で利得を確保するのは難しい。
【００１５】
そこで、本発明では、２系統の上り信号入力経路及び上り信号出力経路の内、第２フィルタ回路が設けられる上り信号入力経路及び上り信号出力経路の一方にだけ、上りＨ信号を増幅する補助増幅回路を設けている。
【００１６】
従って、本発明の中継増幅器によれば、補助増幅回路と上り信号増幅回路とで上りＨ信号を増幅することができ、上り信号増幅回路単体で上りＨ信号を増幅するのに必要な利得が得られない場合であっても、上りＨ信号を所望のレベルまで増幅することができる。
【００１７】
このように、本発明では、上り信号増幅用の増幅回路として、上り信号増幅回路と補助増幅回路との２種類の増幅回路を使用する。しかし、補助増幅回路は、上り信号増幅回路にて上りＨ信号を増幅できない分を増幅すればよいので、上りＨ信号増幅用の増幅回路を単体で用いる場合に比べて、その利得を小さくし、消費電力を抑制できる。また上り信号増幅回路の利得も小さくすることができ、その消費電力を抑制できる。
よって、本発明の中継増幅器によれば、上りＨ信号と上りＬ信号とを夫々専用の増幅回路を用いて増幅する従来装置に比べ、消費電力を抑制して、省エネ化を図ることができる。また、消費電力の低減に伴い、中継増幅器での発熱量を抑制することができ、延いては、発熱対策用部品（ヒートシンクや放熱ファン等）を小型にして、中継増幅器の小型・軽量化を図ることができる。
【００１８】
また、本発明（請求項１、２）の中継増幅器の内、特に、請求項１に記載の中継増幅器においては、２系統の上り信号入力経路に、それぞれ、当該中継増幅器による上りＨ信号及び上りＬ信号の増幅特性が、周波数が高いほど利得が大きいチルト特性となるよう、上りＨ信号及び上りＬ信号をレベル調整するイコライザが設けられている。そして、補助増幅回路は、第２フィルタ回路が設けられる上り信号入力経路に、イコライザと直列になるよう接続されている。
【００１９】
このため、請求項１に記載の中継増幅器によれば、イコライザ及び補助増幅回路によって、上り信号の増幅特性を、伝送線で生じる上り信号の減衰特性に対応したチルト特性に設定することができる。
【００２０】
一方、請求項２に記載の中継増幅器においては、２系統の上り信号出力経路に、それぞれ、上りＨ信号及び上りＬ信号を、伝送線での各上り信号の減衰特性に合わせて減衰させる出力レベル調整部が設けられており、補助増幅回路は、第２フィルタ回路が設けられる上り信号出力経路に、出力レベル調整部と直列になるよう接続されている。
【００２１】
このため、請求項２に記載の中継増幅器によれば、センタ装置側伝送線の線路長が設定値よりも短く、この伝送線で生じる下り信号の減衰量が小さい場合に、各上り信号の信号レベルを、その伝送線での各上り信号の減衰特性に合わせて減衰させて、センタ装置側伝送線上に設けられた前段の伝送機器（或いはセンタ装置）への上り信号の入力レベルを、一定レベルにすることができる。
【００２３】
【発明の実施の形態】
以下に本発明の実施例を図面と共に説明する。
図１は、本発明が適用された実施例の中継増幅器の概略構成を表すブロック図である。
【００２４】
本実施例の中継増幅器は、センタ装置から端末側に、所定周波数帯（例えば、７０ＭＨｚ〜５５０ＭＨｚ帯）の下り信号（図１に点線矢印で示す）を伝送し、端末側からセンタ装置側には、下り信号よりも周波数の低い所定周波数帯（例えば、１０ＭＨｚ〜５５ＭＨｚ帯）の上りＬ信号（図１に実線矢印で示す）と、下り信号よりも周波数の高い所定周波数帯（例えば、６５０ＭＨｚ〜７７０ＭＨｚ帯）の上りＨ信号（図１に一点鎖線矢印で示す）とを伝送するように構成された双方向ＣＡＴＶシステムにおいて、これら各信号を幹線や分岐線等の伝送線上で双方向に増幅するのに使用されるものである。
【００２５】
そして、この中継増幅器は、図１に示すように、センタ装置側伝送線に接続される入力端子Ｔinと、カットオフ周波数７０ＭＨｚのハイパスフィルタ（以下、ＨＰＦと記載する）１２と、カットオフ周波数５５０ＭＨｚのローパスフィルタ（以下、ＬＰＦと記載する）１４とからなる下り信号入力経路を介して、センタ装置側から伝送されてきた下り信号を取り込み、その取り込んだ下り信号の信号レベルを、入力レベル調整部１６にて所定レベルに調整した後、下り信号増幅回路１８にて増幅し、その増幅後の下り信号を、カットオフ周波数５５０ＭＨｚのＬＰＦ２０と、カットオフ周波数７０ＭＨｚのＨＰＦ２２と、端末側伝送線に接続される出力端子Ｔout とからなる下り信号出力経路を介して、端末側伝送線上に出力するよう構成されている。
【００２６】
ここで、入力レベル調整部１６は、入力端子Ｔinに接続されるセンタ装置側伝送線の線路長が設定値よりも短く、この伝送線で生じる下り信号の減衰量が小さい場合に、下り信号を、伝送線での下り信号の減衰特性に合わせて、設定レベルまで減衰させることにより、下り信号増幅回路１８への下り信号の入力レベルを予め設定された一定レベルに調整するためのもの（擬似線路；所謂ＢＯＮ回路）である。
【００２７】
また、下り信号増幅回路１８は、端末側伝送線が所定の長さであると仮定して設定した減衰特性に対応する増幅特性（チルト特性）で下り信号を増幅するためのものであり、前後二段の増幅回路１８ａ，１８ｂと、その間に設けられて、下り信号増幅回路１８の増幅特性が所望のチルト特性となるように下り信号をレベル調整するイコライザ１８ｃとから構成されている。
【００２８】
また、下り信号入力経路を構成するＨＰＦ１２及びＬＰＦ１４、下り信号出力経路を構成するＬＰＦ２０及びＨＰＦ２２は、夫々、これら各経路を通過する信号を、下り信号の周波数帯（７０ＭＨｚ〜５５０ＭＨｚ）の信号成分に規制するバンドパスフィルタを構成しており、請求項１記載の第１フィルタ回路として機能する。
【００２９】
次に、中継増幅器には、上記各上り信号を増幅するために、上りＬ信号から上りＨ信号までの周波数帯域（１０ＭＨｚ〜７７０ＭＨｚ）で所定の増幅特性を有する上り信号増幅回路２４が備えられる。
そして、端末側から伝送されてきた上りＨ信号は、出力端子Ｔout と、ＨＰＦ２２と、カットオフ周波数６５０ＭＨｚのＨＰＦ２６と、同じくカットオフ周波数６５０ＭＨｚのＨＰＦ２８とからなる上りＨ信号入力経路を介して、上り信号増幅回路２４に入力される。また、端末側から伝送されてきた上りＬ信号は、出力端子Ｔout と、カットオフ周波数５５ＭＨｚのＬＰＦ３０と、同じくカットオフ周波数５５ＭＨｚのＬＰＦ３２とからなる上りＬ信号入力経路を介して、上り信号増幅回路２４に入力される。
【００３０】
この結果、上り信号増幅回路２４には、ＨＰＦ２８及びＬＰＦ３２を介して、上りＨ信号と上りＬ信号とを混合した上り信号が入力され、上り信号増幅回路２４は、これら各信号を所定レベルまで増幅して出力することになる。
また、上りＨ信号入力経路を構成するＨＰＦ２６とＨＰＦ２８との間には、上りＨ信号を所定レベルまで増幅する補助増幅回路３４、及び、補助増幅回路３４と上り信号増幅回路２４とによる上りＨ信号の増幅特性が所定のチルト特性（図２参照）となるように、上りＨ信号をレベル調整するイコライザ３６が設けられている。また、上りＬ信号入力経路を構成するＬＰＦ３０とＬＰＦ３２との間には、上り信号増幅回路２４による上りＬ信号の増幅特性が所定のチルト特性（図２参照）となるように、上りＬ信号をレベル調整するイコライザ３８が設けられている。
【００３１】
そして、上り信号増幅回路２４により増幅された上り信号の内、上りＨ信号は、カットオフ周波数６５０ＭＨｚのＨＰＦ４０と、上りＨ信号の出力レベルを調整する出力レベル調整部４２と、カットオフ周波数６５０ＭＨｚのＨＰＦ４４と、上述のＨＰＦ１２と、入力端子Ｔinとからなる上りＨ信号出力経路を介して、センタ装置側伝送線上に出力される。また、上りＬ信号は、カットオフ周波数５５ＭＨｚのＬＰＦ４６と、上りＬ信号の出力レベルを調整する出力レベル調整部４８と、カットオフ周波数５５ＭＨｚのＬＰＦ５０と、入力端子Ｔinとからなる上りＬ信号出力経路を介して、センタ装置側伝送線上に出力される。
【００３２】
尚、出力レベル調整部４２，４８は、夫々、入力端子Ｔinに接続されるセンタ装置側伝送線の線路長が設定値よりも短く、この伝送線で生じる下り信号の減衰量が小さい場合に、各上り信号の信号レベルを、伝送線での各上り信号の減衰特性に合わせて減衰させることにより、センタ装置側伝送線上に設けられた前段の伝送機器（或いはセンタ装置）への上り信号の入力レベルを、予め設定された一定レベルにするためのもの（擬似線路；所謂ＢＯＮ回路）である。
【００３３】
従って、入力端子Ｔinからセンタ装置側伝送線上には、図２に示すように、その伝送線での減衰特性に対応して各上り信号を増幅した上り信号が出力されることになり、センタ装置側伝送線に設けられた前段の伝送機器（或いはセンタ装置）には、各上り信号が一定レベルで入力されることになる。
【００３４】
尚、図２は、入力端子Ｔinが接続されたセンタ装置側伝送線の線路長が設計時に設定された所定長さであるとき（換言すれば出力レベル調整部４２，４８を動作させないとき）に、入力端子Ｔinからセンタ装置側伝送線に出力する各上り信号の具体例を表しており、中継増幅器は、例えば、入力端子Ｔinから出力する上りＬ信号が、１０ＭＨｚで８７．６ｄＢμ、５５ＭＨｚで９８．７ｄＢμとなり、上りＨ信号が、６５０ＭＨｚで９４．５ｄＢμ、７７０ＭＨｚで９５．８ｄＢμとなるように、各上り信号を増幅する。
【００３５】
ここで、上りＨ信号入力経路上のＨＰＦ２２，２６，２８、及び、上りＨ信号出力経路上のＨＰＦ４０，４４，１２は、当該中継増幅器が設けられる伝送線上を流れる信号の内、上りＨ信号のみを選択的に通過させるためのものであり、請求項１記載の第２フィルタ回路に相当する。また、上りＬ信号入力経路上のＬＰＦ３０，３２、及び、上りＬ信号出力経路上のＬＰＦ４６，５０は、当該中継増幅器が設けられる伝送線上を流れる信号の内、上りＬ信号のみを選択的に通過させるためのものであり、請求項１記載の第３フィルタ回路に相当する。
【００３６】
また、本実施例の中継増幅器においては、入力端子ＴinとＨＰＦ１２，ＬＰＦ５０との間、及び、出力端子Ｔout とＨＰＦ２２，ＬＰＦ３０との間に、夫々、当該中継増幅器が設けられる伝送線に落雷等によって誘起される高電圧から内部回路を保護するための耐雷フィルタ５２，５４が設けられている。
【００３７】
以上説明したように、本実施例の中継増幅器においては、端末側から伝送されてきた上りＨ信号を、ＨＰＦ２２及びＨＰＦ２６を介して補助増幅回路３４に入力することにより、上りＨ信号を補助増幅回路３４にて所定レベルまで増幅した後、イコライザ３６，ＨＰＦ２８を介して、上り信号増幅回路２４に入力すると共に、端末側から伝送されてきた上りＬ信号を、ＬＰＦ２２，イコライザ３８，ＬＰＦ３２を介して、上り信号増幅回路２４に入力し、上り信号増幅回路２４にて、上りＨ信号と上りＬ信号とを同時に増幅するようにされている。
【００３８】
このため、本実施例の中継増幅器によれば、上りＨ信号と上りＬ信号とを夫々専用の増幅回路を用いて増幅する従来装置に比べて、上り信号増幅用の回路構成を簡単にし、消費電力を低減できる。従って、本実施例の中継増幅器を用いて双方向ＣＡＴＶシステムを構築すれば、システム全体で省エネ化を図ることができる。また、消費電力の低減に伴い、中継増幅器での発熱量も抑制できることから、中継増幅器の発熱対策のために設ける発熱対策用部品（ヒートシンクや放熱ファン等）を小型にすることができ、これによっても、中継増幅器の小型・軽量化を図ることができる。
【００３９】
また、本実施例では、上りＨ信号を所望レベルまで増幅するために、上りＨ信号を、一旦、補助増幅回路３４にて増幅した後、上り信号増幅回路２４に入力するよう構成されていることから、上りＨ信号と上りＬ信号とを上り信号増幅回路２４だけで増幅するようにした場合に比べて、上り信号増幅回路２４の利得を小さくすることができる。
【００４０】
つまり、上り信号増幅回路２４だけで、図２に示したチルト特性の上り信号を得るには、上り信号増幅回路２４の利得を、上りＨ信号を最大周波数（７７０ＭＨｚ）で９５．８ｄＢμまで増幅できるように設定しなければならず、このためには、上り信号増幅回路２４を構成する増幅素子（トランジスタ）の数を増やしたり、各増幅素子に増幅率の大きな高価なトランジスタを使用しなければならなくなる。
【００４１】
しかし、本実施例では、上りＨ信号を補助増幅回路３４にて増幅するようにしていることから、例えば、上り信号増幅回路２４の利得を、上りＬ信号を最大周波数（５５ＭＨｚ）で８９．７ｄＢμまで増幅できる程度に設定し、上りＬ信号を所望レベルまで増幅するのに必要な利得の不足分を、補助増幅回路３４で補うようにすることができる。
【００４２】
従って、本実施例によれば、上りＬ信号と上りＨ信号とを上り信号増幅回路２４だけで増幅するようにした場合に比べて、上り信号増幅回路２４の利得を小さくすることができる。よって、本実施例によれば、上り信号増幅回路２４の構成を簡単にして、より安価に実現することができると共に、上り信号増幅回路２４の利得を小さくすることにより、消費電力を抑え、発熱量も小さくできる。
【００４３】
以上、本発明の一実施例について説明したが、本発明は、上記実施例に限定されるものではなく、種々の態様を採ることができる。
例えば、上記実施例では、端末側から伝送されてきた上りＨ信号を補助増幅回路３４にて増幅した後、その増幅後の上りＨ信号と端末側から伝送されてきた上りＬ信号とを、共通の上り信号増幅回路２４にて増幅し、センタ装置側から伝送されてきた下り信号は、下り信号増幅回路１８にて増幅するものとして説明したが、センタ装置及び端末側から、周囲温度等の使用環境変化によって生じる伝送線の減衰特性の変化に伴う各伝送信号のレベル変動を防止するためのパイロット信号（利得調整用信号）が伝送されてくる双方向ＣＡＴＶシステムであれば、図３に示す如く、下り信号増幅回路１８及び上り信号増幅回路２４に対して、夫々、下り信号及び上り信号の出力レベルを調整する利得調整回路６４，７４を設けるようにすればよい。
【００４４】
即ち、図３に示す中継増幅器は、図１に示した中継増幅器に対して、更に、
(1) 下り信号増幅回路１８から出力される下り信号の一部を分岐する分岐回路６２。
(2) 下り信号増幅回路１８内の前段の増幅回路１８ａと後段の増幅回路１８ｂとの間に設けられ、下り信号増幅回路１８からの下り信号の出力レベルの傾斜特性を微調整するための減衰器６６。
【００４５】
(3) 分岐回路６２にて分岐された下り信号の中から、センタ装置側より送信されてきた下り利得調整用のパイロット信号を抽出して、その信号レベルが予め設定された設定レベルとなるように減衰器６６の減衰量を調整することにより、下り信号増幅回路１８全体の利得を調整する利得調整回路６４。
【００４６】
(4) ＨＰＦ４０から出力レベル調整部４２に至る上りＨ信号出力経路に設けられて、上り信号増幅回路２４から出力された上りＨ信号の一部を分岐する分岐回路７２。
(5) ＨＰＦ２８及びＬＰＦ３２から上り信号増幅回路２４に至る、各上り信号共通の入力経路に設けられて、上り信号増幅回路２４からの上り信号（詳しくは上りＨ信号及び上りＬ信号）の出力レベルの傾斜特性を微調整するための減衰器７６。
【００４７】
(6) 分岐回路７２にて分岐された上りＨ信号の中から、端末側より送信されてきた上り利得調整用のパイロット信号を抽出して、その信号レベルが予め設定された設定レベルとなるように減衰器７６の減衰量を調整することにより、下り信号増幅回路２４の利得を調整する利得調整回路７４。
【００４８】
を設けたものであり、他の構成は図１に示した中継増幅器と全く同様であり、上記実施例と同様に動作する。
そして、下り利得調整用の減衰器６６は、下り信号増幅回路１８の利得が適正値にあるとき、下り信号の全周波数領域で一定の減衰量（基準減衰量）となるように設定されており、利得調整回路６４が下り信号増幅回路１８の利得を上げるために減衰量を減少させる指令を出力すると、基準減衰量に対して周波数が高い程減衰量が大きく低下し、利得調整回路６４が下り信号増幅回路１８の利得を下げるために減衰量を増加させる指令を出力すると、基準減衰量に対して周波数が高い程減衰量が大きく増加するようにされている。
【００４９】
また、上り利得調整用の減衰器７６は、上り信号増幅回路２４の利得が適正値にあるとき、上りＬ信号から上りＨ信号までの全周波数領域で一定の減衰量（基準減衰量）となるように設定されており、利得調整回路７４が上り信号増幅回路２４の利得を上げるために減衰量を減少させる指令を出力すると、基準減衰量に対して周波数が高い程減衰量が大きく低下し、利得調整回路７４が上り信号増幅回路２６の利得を下げるために減衰量を増加させる指令を出力すると、基準減衰量に対して周波数が高い程減衰量が大きく増加するようにされている（図４参照）。
【００５０】
尚、これは、伝送線の温度変化に伴に伴う伝送線での減衰量の増減特性に対応して、各増幅回路１８，２４の利得を調整するためである。
このように構成された図３の中継増幅器においては、利得調整回路６４及び７４が、夫々、センタ装置及び端末側より伝送されてきたパイロット信号に基づき、減衰器６６及び７６の減衰特性を調整することにより、下り信号増幅回路１８及び上り信号増幅回路２４の利得を調整し、各増幅回路１８及び２４からの信号の出力レベルを最適レベルに設定することから、下り信号を伝送してくるセンタ装置側伝送線や上り信号を伝送してくる端末側伝送線の減衰特性が温度等の使用環境によって変化しても、各信号を最適レベルで出力することが可能になる。
【００５１】
また上りＬ信号と上りＨ信号は、各信号共通の上り信号増幅器２４の利得調整を行うだけで最適レベルに設定され、これら各上り信号のレベル調整のために、専用の利得調整回路を設ける必要がないため、各上り信号を専用の増幅回路で増幅するようにした従来装置に比べて、利得調整用の回路を簡素化することができ、中継増幅器の小型化及びコスト低減を図ることができる。
【００５２】
一方、上記実施例では、本発明を、双方向ＣＡＴＶシステムの幹線や分岐線に流れる各信号を単に増幅するだけの中継増幅器に適用した場合について説明したが、本発明は、上記構成に加えて、下り信号増幅回路１８により増幅された下り信号を下位の伝送線（分岐線）に分岐させる分岐回路と、その分岐線を介して端末側から伝送されてきた各上り信号を、出力端子Ｔout から入力された各上り信号と混合させて、上りＨ信号入力経路及び上りＬ信号入力経路に入力する混合回路とを備えた中継増幅器（所謂分岐増幅器）に適用することもできる。そして、このような中継増幅器（分岐増幅器）においても、上記実施例と同様の効果を得ることができる。
【００５３】
また例えば、上記実施例では、上りＨ信号を補助的に増幅する補助増幅回路３４を、上りＨ信号入力経路に設け、補助増幅回路３４により増幅した上りＨ信号を上り信号増幅回路２４に入力するものとして説明したが、例えば、補助増幅回路３４を上りＨ信号出力経路（より具体的には、ＨＰＦ４０と出力レベル調整部４２との間）に設け、上り信号増幅回路２４から出力される上りＨ信号を補助増幅回路３４にて増幅するようにしてもよい。
【図面の簡単な説明】
【図１】  実施例の双方向ＣＡＴＶシステム用の中継増幅器の構成を表すブロック図である。
【図２】  中継増幅器の入力端子Ｔinからセンタ装置側に出力される上り信号を表す説明図である。
【図３】  利得調整回路を備えた双方向ＣＡＴＶシステム用の中継増幅器の構成を表すブロック図である。
【図４】  図３に示す利得調整用の減衰器の減衰特性を説明する説明図である。
【符号の説明】
１６…入力レベル調整部、１８…下り信号増幅回路、２４…上り信号増幅回路、３４…補助増幅回路、１８ｃ，３６，３８…イコライザ、４２，４８…出力レベル調整部、５２，５４…耐雷フィルタ、１２，２２，２６，２８，４０，４４…ＨＰＦ（ハイパスフィルタ）、１４，２０，３０，３２，４６，５０…ＬＰＦ（ローパスフィルタ）、Ｔin…入力端子、Ｔout …出力端子、６２，７２…分岐回路、６４，７４…利得調整回路、６６，７６…減衰器。
【図１】
0004327279.tif 000002
【図２】
0004327279.tif 000003
【図３】
0004327279.tif 000004
【図４】
0004327279.tif 000005